(57)【特許請求の範囲】
【請求項１】
複数のチェック項目に対する確認処理を記録して表示する備忘録装置であって、
確認処理をすべき各チェック項目を一覧可能に表示するチェック項目表示部と、
前記チェック項目表示部の各チェック項目に対応した位置にそれぞれ配置され、それぞれのチェック項目に対する確認結果を入力し、入力された各確認結果を通知する確認結果通知部と、
前記複数のチェック項目に対する確認処理を未実行の状態に切り替え、前記確認結果通知部を未実行状態にリセットするリセット部と、
前記複数のチェック項目に対する確認処理の開始を示す時間情報を通知する時間情報通知部と、
前記リセット部によるリセットと前記時間情報通知部とを連携させ、前記時間情報通知部に対して前記確認処理の開始を示す時間情報が入力された場合に、前記リセット部によるリセットを実行させる連携制御部と
を備え、
前記連携制御部は、前記リセットされた日時を前記確認処理の開始を示す時間情報として前記時間情報通知部により通知させる
ことを特徴とする備忘録装置。
【請求項２】
前記確認結果通知部は、各チェック項目に対して入力された各確認結果を一時的に一括して固定する一括ロック部を有することを特徴とする請求項１に記載の備忘録装置。
【請求項３】
経過時間を計測する計時部と、
前記計時部により計測された前記確認処理の開始からの経過時間に基づいて、警告情報を通知する警報制御部と
をさらに備えることを特徴とする請求項１に記載の備忘録装置。
【請求項４】
扉又は蓋体の開閉を施錠する施錠機構と、
前記複数のチェック項目に対する確認処理がすべて所定の結果となった場合に、前記施錠機構によって解錠又は施錠させる施錠制御部と
をさらに備えることを特徴とする請求項１に記載の備忘録装置。
【請求項５】
前記施錠機構は、収納用筐体の蓋体を施錠する機構であり、
前記施錠制御部は、前記複数のチェック項目に対する確認結果がすべて有効的である場合に、前記施錠機構を解錠させる
ことを特徴とする請求項４に記載の備忘録装置。
【請求項６】
前記施錠機構は、扉を施錠する機構であり、
前記施錠制御部は、前記複数のチェック項目に対する確認結果がすべて有効的である場合に、前記施錠機構を施錠させる
ことを特徴とする請求項４に記載の備忘録装置。
【請求項７】
当該備忘録装置の位置情報を取得する位置情報取得部と、
前記位置情報取得部によって取得された位置情報に基づいて、警告情報を通知する警報制御部と
をさらに備えることを特徴とする請求項１に記載の備忘録装置。  
【請求項８】
前記確認結果通知部による確認結果の履歴を蓄積し、蓄積された履歴を解析して、解析された確認結果の頻度や分布に基づいた報告処理を実行する通報部をさらに備えることを特徴とする請求項１に記載の備忘録装置。
【請求項９】
複数のチェック項目に対する確認処理を記録して表示する備忘録プログラムであって、コンピューターを、
確認処理をすべき各チェック項目を一覧可能に表示するチェック項目表示部と、
前記チェック項目表示部の各チェック項目に対応した位置にそれぞれ配置され、それぞれのチェック項目に対する確認結果を入力し、入力された各確認結果を通知する確認結果通知部と、
前記複数のチェック項目に対する確認処理を未実行の状態に切り替え、前記確認結果通知部による通知を未実行状態にリセットするリセット部と、
前記複数のチェック項目に対する確認処理の開始を示す時間情報を通知する時間情報通知部と、
前記リセット部によるリセットと前記時間情報通知部とを連携させ、前記時間情報通知部に対して前記確認処理の開始を示す時間情報が入力された場合に、前記リセット部によるリセットを実行させる連携制御部と
として機能させ、
前記連携制御部は、前記リセットされた日時を前記確認処理の開始を示す時間情報として前記時間情報通知部により通知させる
ことを特徴とする備忘録プログラム。
【請求項１０】
前記確認結果通知部は、各チェック項目に対して入力された各確認結果を一時的に一括して固定する一括ロック部を有することを特徴とする請求項９に記載の備忘録プログラム。
【請求項１１】
経過時間を計測する計時部と、
前記計時部により計測された前記確認処理の開始からの経過時間に基づいて、警告情報を通知する警報制御部と
をさらに備えることを特徴とする請求項９に記載の備忘録プログラム。
【請求項１２】
扉又は蓋体の開閉を施錠する施錠機構と、
前記複数のチェック項目に対する確認処理がすべて所定の結果となった場合に、前記施錠機構によって解錠又は施錠させる施錠制御部と
をさらに備えることを特徴とする請求項９に記載の備忘録プログラム。
【請求項１３】
前記施錠機構は、収納用筐体の蓋体を施錠する機構であり、
前記施錠制御部は、前記複数のチェック項目に対する確認結果がすべて有効的である場合に、前記施錠機構を解錠させる
ことを特徴とする請求項１２に記載の備忘録プログラム。
【請求項１４】
前記施錠機構は、扉を施錠する機構であり、
前記施錠制御部は、前記複数のチェック項目に対する確認結果がすべて有効的である場合に、前記施錠機構を施錠させる
ことを特徴とする請求項１２に記載の備忘録プログラム。
【請求項１５】
当該備忘録装置の位置情報を取得する位置情報取得部と、
前記位置情報取得部によって取得された位置情報に基づいて、警告情報を通知する警報制御部と
をさらに備えることを特徴とする請求項９に記載の備忘録プログラム。  
【請求項１６】
前記確認結果通知部による確認結果の履歴を蓄積し、蓄積された履歴を解析して、解析された確認結果の頻度や分布に基づいた報告処理を実行する通報部をさらに備えることを特徴とする請求項９に記載の備忘録プログラム。
【発明の詳細な説明】
【技術分野】
【０００１】
本発明は、複数のチェック項目に対する確認処理を記録して表示する備忘録装置及び備忘録プログラムに関する。
【背景技術】
【０００２】
一般的に、外出の際には不要な電力消費を避けるため、照明器具やテレビ、エアコン等の家電製品のスイッチをＯＦＦにしてから出かけるが、外出先において、すべての機器のスイッチを消したか否かを思い出すことができず、外出先で不安となることがある。特に、ガス機器などの消し忘れがある場合には、火災が発生する危険もあるため、それについて未確認のときには不安が増大する。
【０００３】
このような問題を解決すべく、近年、家庭内にある機器をインターネット等の公衆ネットワークを介して外出先から駆動状態を監視可能とするとともに、その機器を駆動又は停止可能とするシステムが提案されている（例えば、特許文献１）。このような遠隔制御システムにより動作制御可能な機器としては、電力の供給を受けて動作する電力機器、ガスの供給を受けて動作するガス機器、さらに、水の供給を受けて動作する給湯器等がある。
【先行技術文献】
【特許文献】
【０００４】
【特許文献１】特開２００８−２１１３８３号公報
【発明の概要】
【発明が解決しようとする課題】
【０００５】
しかしながら、外出先から遠隔操作をする場合には、その操作が複雑であり、高齢者や子どもなどが利用するにはある程度の訓練が必要になるとともに、操作ができたとしても、実際に機器の状態を自分の目で確認できないため、外出先での不安を完全に解消することができないという心理的な問題点も指摘されている。
【０００６】
そこで、本発明は、上記のような問題を解決するものであり、利用者にとって煩雑な操作を課すことなく、外出先での不安を簡単に解消できる備忘録装置及び備忘録プログラムを提供することを目的とする。
【課題を解決するための手段】
【０００７】
上記課題を解決するために、本発明は、複数のチェック項目に対する確認処理を記録して表示する備忘録装置であって、確認処理をすべき各チェック項目を一覧可能に表示するチェック項目表示部と、チェック項目表示部の各チェック項目に対応した位置にそれぞれ配置され、それぞれのチェック項目に対する確認結果を入力し、入力された各確認結果を通知する確認結果通知部と、複数のチェック項目に対する確認処理を未実行の状態に切り替え、確認結果通知部による通知を未実行状態にリセットするリセット部と、複数のチェック項目に対する確認処理の開始を示す時間情報を通知する時間情報通知部と、リセット部によるリセットと時間情報通知部とを連携させ、時間情報通知部に対して確認処理の開始を示す時間情報が入力された場合に、リセット部によるリセットを実行させる連携制御部とを備え、前記連携制御部は、前記リセットされた日時を前記確認処理の開始を示す時間情報として前記時間情報通知部により通知させることを特徴とする。
【０００８】
このような本発明によれば、外出前にチェックすべき項目をチェック項目表示部に表示させておき、操作者が自分自身で目視確認したチェック項目に対応する確認結果を入力する。この入力された確認結果は、装置に保持されて、確認結果通知部に表示されるとともに、すべてのチェック項目がすべてＯＫなど、外出前にすべてのチェックすべき項目を目視することができ、確実に消し忘れや、閉め忘れを防止できる。また、この確認処理は、前回途中だった確認処理があった場合などに、確認開始時刻を変更して再開する場合には、すべてリセットされるため、前回の確認結果が残っていることによって、操作者が混乱して確認し忘れが発生するのを解消できる。また、連携制御部が、リセットされた日時を確認処理の開始を示す時間情報として時間情報通知部により通知させるため、すべての項目の確認結果をリセットした時点から開始することができるため、前回途中だった確認処理があった場合でも、すべてリセットしなければ再開できないため、より確実に消し忘れ等を防止できる。
【０００９】
上記発明において、確認結果通知部には、各チェック項目に対して入力された各確認結果を一時的に一括して固定する一括ロック部を設けることができる。この場合には、すべての項目の確認結果をリセットした時点から開始することができるため、前回途中だった確認処理があった場合でも、すべてリセットしなければ再開できないため、より確実に消し忘れ等を防止できる。
【００１０】
上記発明では、経過時間を計測する計時部と、計時部により計測された確認処理の開始からの経過時間とに基づいて、警告情報を通知する警報制御部とをさらに設けることができる。この場合には、例えば、確認処理を開始して、一定時間内にすべてのチェック項目に対する確認が終了しない場合に警告を通知できるため、確認処理に時間がかかっているだけなのか、確認し忘れているのかが不明であるようなときに、操作者に対して注意を促すことができる。
【００１１】
上記発明では、扉又は蓋体の開閉を施錠する施錠機構と、複数のチェック項目に対する確認処理がすべて所定の結果となった場合に、施錠機構によって解錠又は施錠させる施錠制御部とをさらに設けることができる。この場合には、例えば、すべてのチェック項目が「ＯＫ」になったときに、施錠若しくは解錠できるようにすることによって、すべてのチェック項目を完了しない限り利用者が次の行動に移れないように制限でき、消し忘れや閉め忘れを確実に防止できる。
【００１２】
上記発明において施錠機構は、収納用筐体の蓋体を施錠する機構であり、施錠制御部は、複数のチェック項目に対する確認結果がすべて有効的である場合に、施錠機構を解錠させることが好ましい。この場合には、例えば、家の鍵を収納しておく箱などを設けて、すべてのチェック項目が「ＯＫ」など有効的になったときに、その蓋体を施錠若しくは解錠できるようにしたりすることで、すべてのチェック項目を完了しない限り利用者が次の行動に移れないように制限でき、消し忘れや閉め忘れを確実に防止できる。
【００１３】
上記発明において、施錠機構は、扉を施錠する機構であり、施錠制御部は、複数のチェック項目に対する確認結果がすべて有効的である場合に、施錠機構を施錠させることが好ましい。この場合には、家の玄関の扉などに電子ロック機構を設けて、すべてのチェック項目が「ＯＫ」など有効的になったときに、施錠若しくは解錠できるようにすることによって、すべてのチェック項目を完了しない限り利用者が次の行動に移れないように制限でき、消し忘れや閉め忘れを確実に防止できる。
【００１４】
上記発明において、当該備忘録装置の位置情報を取得する位置情報取得部と、位置情報取得部によって取得された位置情報とに基づいて、警告情報を通知する警報制御部とをさらに備えることが好ましい。この場合には、例えば、確認処理の最中に外出してしまったり、家の外にいるはずなのに屋内の確認処理を実行していたりなど、不適切な操作や誤操作がなされるのを防止でき、より適切な確認処理を実現できる。
【００１５】
上記発明では、確認結果通知部による確認結果の履歴を蓄積し、蓄積された履歴を解析して、解析された確認結果の頻度や分布に基づいた報告処理を実行する通報部をさらに備えることが好ましい。この場合には、不適切な操作が繰り返されたり、暫くの期間、無操作だったりなど、操作者が特徴的な行動を取った場合に、電子メール等により関係者にその旨を通報することができ、高齢者の安否確認などに応用することができる。
【００１６】
本発明は、複数のチェック項目に対する確認処理を記録して表示する備忘録プログラムであって、コンピューターを、確認処理をすべき各チェック項目を一覧可能に表示するチェック項目表示部と、チェック項目表示部の各チェック項目に対応した位置にそれぞれ配置され、それぞれのチェック項目に対する確認結果を入力し、入力された各確認結果を通知する確認結果通知部と、複数のチェック項目に対する確認処理を未実行の状態に切り替え、確認結果通知部による通知を未実行状態にリセットするリセット部と、複数のチェック項目に対する確認処理の開始を示す時間情報を通知する時間情報通知部と、リセット部によるリセットと時間情報通知部とを連携させ、リセットされた日時を確認処理の開始を示す時間情報として時間情報通知部により通知させる連携制御部として機能させることを特徴とする。
【００１７】
このような本発明によれば、外出前にチェックすべき項目をチェック項目表示部に表示させておき、操作者が自分自身で目視確認したチェック項目に対応する確認結果を入力する。この入力された確認結果は、装置に保持されて、確認結果通知部に、すべてのチェック項目がすべてＯＫなどと表示され、その旨が通知されることから、外出前にすべてのチェックすべき項目を目視することができ、確実に消し忘れや、閉め忘れを防止できる。また、この確認処理は、前回途中だった確認処理があった場合などに、確認開始時刻を変更して再開する場合には、すべてリセットされるため、前回の確認結果が残っていることによって、操作者が混乱して確認し忘れが発生するのを解消できる。
【００１８】
上記発明において、連携制御部は、リセットされた日時を前記確認処理の開始を示す時間情報として前記時間情報通知部により通知させることが好ましい。この場合には、すべての項目の確認結果をリセットした時点から開始することができるため、前回途中だった確認処理があった場合でも、すべてリセットしなければ再開できないため、より確実に消し忘れ等を防止できる。
【００１９】
上記発明において、経過時間を計測する計時部と、計時部により計測された確認処理の開始からの経過時間とに基づいて、警告情報を通知する警報制御部とをさらに備えることが好ましい。この場合には、例えば、確認処理を開始して、一定時間内にすべてのチェック項目に対する確認が終了しない場合に警告を通知できるため、確認処理に時間がかかっているだけなのか、確認し忘れているのかが不明であるようなときに、操作者に対して注意を促すことができる。
【００２０】
上記発明において、扉又は蓋体の開閉を施錠する施錠機構と、複数のチェック項目に対する確認処理がすべて所定の結果となった場合に、施錠機構によって解錠又は施錠させる施錠制御部とをさらに備えることが好ましい。この場合には、例えば、すべてのチェック項目が「ＯＫ」になったときに、施錠若しくは解錠できるようにすることによって、すべてのチェック項目を完了しない限り利用者が次の行動に移れないように制限でき、消し忘れや閉め忘れを確実に防止できる。
【００２１】
上記発明において、施錠機構は、収納用筐体の蓋体を施錠する機構であり、施錠制御部は、複数のチェック項目に対する確認結果がすべて有効的である場合に、施錠機構を解錠させることが好ましい。この場合には、例えば、家の鍵を収納しておく箱などを設けて、すべてのチェック項目が「ＯＫ」など有効的になったときに、その蓋体を施錠若しくは解錠できるようにしたりすることで、すべてのチェック項目を完了しない限り利用者が次の行動に移れないように制限でき、消し忘れや閉め忘れを確実に防止できる。
【００２２】
上記発明において、施錠機構は、扉を施錠する機構であり、施錠制御部は、複数のチェック項目に対する確認結果がすべて有効的である場合に、施錠機構を施錠させることが好ましい。この場合には、家の玄関の扉などに電子ロック機構を設けて、すべてのチェック項目が「ＯＫ」など有効的になったときに、施錠若しくは解錠できるようにすることによって、すべてのチェック項目を完了しない限り利用者が次の行動に移れないように制限でき、消し忘れや閉め忘れを確実に防止できる。
【００２３】
上記発明において、当該備忘録装置の位置情報を取得する位置情報取得部と、位置情報取得部によって取得された位置情報とに基づいて、警告情報を通知する警報制御部とをさらに備えることが好ましい。この場合には、例えば、確認処理の最中に外出してしまったり、家の外にいるはずなのに屋内の確認処理を実行していたりなど、不適切な操作や誤操作がなされるのを防止でき、より適切な確認処理を実現できる。
【００２４】
上記発明において、確認結果通知部による確認結果の履歴を蓄積し、蓄積された履歴を解析して、解析された確認結果の頻度や分布に基づいた報告処理を実行する通報部をさらに備えることが好ましい。この場合には、不適切な操作が繰り返されたり、暫くの期間、無操作だったりなど、操作者が特徴的な行動を取った場合に、電子メール等により関係者にその旨を通報することができ、高齢者の安否確認などに応用することができる。
【発明の効果】
【００２５】
以上述べたように、この発明によれば、簡単な操作で外出前に必要なチェック項目をすべて確認でき、その確認結果を記録・保持できるため、利用者にとって煩雑な操作を課すことなく、外出先での不安を簡単に解消できる。
【図面の簡単な説明】
【００２６】
【図１】第１実施形態に係る備忘録装置の全体構成を示す斜視図である。
【図２】第１実施形態に係る備忘録装置を示す上面図である。
【図３Ａ】第１実施形態に係るスイッチを示す斜視図である。
【図３Ｂ】第１実施形態に係るリセット部及び連携制御部７の内部構造及び動作を示す説明図である。
【図４Ａ】（ａ）及び（ｂ）は、第１実施形態に係るスイッチの位置決め機構、及び一括ロック機構を示す説明図である。
【図４Ｂ】（ａ）は、第１実施形態に係るスイッチの一括ロック部の機構を示す説明図であり、（ｂ）は、第１実施形態に係るリセット部の機構を示す説明図であり、説明図である。
【図５】第２実施形態に係る備忘録システムを示す概略図である。
【図６】第２実施形態に係る表示部の表示画面を示す説明図である。
【図７】第２実施形態に係る情報処理端末及び鍵収納装置の機能モジュールを示すブロック図である。
【図８】第３実施形態に係る鍵ケースを示す斜視図である。
【図９】第４実施形態に係る服薬チェック装置の画面構成を示す説明図である。
【発明を実施するための形態】
【００２７】
［第１実施形態］
以下に添付図面を参照して、本発明に係る備忘録装置の第１実施形態を詳細に説明する。なお、以下の説明において備忘録装置は、自宅内の各家電機器に対する消し忘れや閉め忘れを確認するために用いるものとする。
【００２８】
（備忘録装置の全体構成）
図１は、本実施形態に係る備忘録装置１を示す斜視図であり、図２は、本実施形態に係る備忘録装置１を示す上面図である。また、図３Ａは、本実施形態に係るスイッチを示す斜視図であり、図４Ａ（ａ）及び（ｂ）は、第１実施形態に係るスイッチの位置決め機構、及び一括ロック機構を示す説明図である。
【００２９】
本実施形態の備忘録装置１は、複数のチェック項目に対する確認処理を記録して表示する装置であって、図１及び図２に示すように、内部中空の筐体１０の上面１０ａに、日付又は時間を表示する時間情報通知部４と、確認処理をすべき各チェック項目を一覧可能に表示するチェック項目表示部３と、チェック項目に対する確認結果の入力結果を一覧に表示する確認結果通知部２と、確認結果通知部２の動作を固定する一括ロック部５とを備えている。なお、図１及び図２では、筐体１０に各部が７つ設けられている場合を例に説明するが、その数は変更可能である。
【００３０】
時間情報通知部４は、複数のチェック項目に対する確認処理の開始を示す日付情報又は時間情報を通知する機構であり、本実施形態では、日付情報をダイヤル式の表示手段で表示する。具体的に、時間情報通知部４は、円盤状をなし暦の「月」に関する情報が側面に表記された月情報回転体４３と、円盤状をなし暦の「日」に関する情報が側面に表記された日情報回転体４４とを有している。月情報回転体４３及び日情報回転体４４は、筐体１０の内部に設けられた各回転軸４３ａ，４４ａによって回転可能に軸支されている。筐体１０の上面１０ａには、月情報回転体４３、及び日情報回転体４４の一部を外部に突出させる表示孔４１，４２が形成されており、外部に突出された月情報回転体４３、及び日情報回転体４４の側面を利用者が操作することで、各回転体４３，４４を回転させて日付が調整可能となっている。
【００３１】
チェック項目表示部３は、確認を行うべき機器のチェック項目を表示する表示手段であり、機器の名称が表記された機器プレート３２、機器プレート３２を筐体１０に保持する保持部３１とから構成されている。機器プレート３２は、板部材であり、その表面に機器の名称が表記されているとともに、その裏面には保持部３１の底面に形成された球面状の凹部３５に嵌合される球面状の凸部３４が形成されてる。これら凸部３４と凹部３５が嵌合することによって、機器プレート３２を保持部３１に挿入したときに、機器プレート３２が保持部３１から脱落するのを防止している。
【００３２】
保持部３１は、機器プレート３２と合致する大きさ及び形状をなし、筐体１０内部に形成された空間部分であり、筐体１０の側面に形成された挿入孔（図示なし）から機器プレート３２を挿入させるようになっている。なお、機器プレート３２は、利用者が任意の保持部３１に配置可能である。
【００３３】
また、本実施形態において、チェック項目表示部３には、保持部３１と対応する位置において筐体１０の上面１０ａが刳り抜かれ、保持部３１の内部空間と外部とを連通させる表示窓３３が形成されており、機器プレート３２を挿入することで、表示窓３３からプレート上に表記された機器の名称が視認できるようになっている。なお、表示窓３３の大きさは、機器プレート３２の大きさよりも若干小さく設定されており、表示窓３３から機器プレート３２が抜け落ちないようになっている。
【００３４】
確認結果通知部２は、チェック項目表示部３の各チェック項目に対応した位置にそれぞれ配置され、それぞれのチェック項目に対する確認結果を入力し、入力された各確認結果を通知する手段である。このような確認結果通知部２は、上面１０ａの略中央おいて、左右の方向に配列されている。各確認結果通知部２には、筐体１０の内部に配置されたスイッチ２００を備えるとともに、スイッチ２００の上部には、上面１０ａが刳り抜かれて形成された状態表示窓２１が形成されているとともに、スイッチ２００の一部を外部に突出させ、スイッチ２００を前後方向にスライド可能とさせるスライド孔２２を備えている。スイッチ２００は、図３Ａに示すように、略直方体をなした基台２０１と、基台２０１の上面２０１ａに形成され、上部に向けて突出した操作ノブ２０２とを備える。操作ノブ２０２は、基台２０１の略中央に設けられ、スライド孔２２に挿通される。
【００３５】
本実施形態では、スイッチ２００が前方に切り替え操作されることで、スイッチ２００の上側に印刷した「ＯＫ」という文字が状態表示窓２１に配置されて表示される。一方、操作ノブ２０が後方側に切り替え操作されることで、スイッチ２００に印刷された文字が状態表示窓２１から外れて外部に表示させないようになっている。
【００３６】
このような確認結果通知部２には、スイッチ２００が利用者の意図しない位置にスライド移動してしまうことを防止するための位置決め機構を備えている。本実施形態における位置決め機構は、すべてのスイッチ２００の下方に配置されるバネ部材２１０と、基台２０１の下面に形成され、基台２０１の一部を切り欠いた谷部２０３，２０４と、一対の谷部２０３，２０４の間に形成される山部２０５とから構成される。
【００３７】
バネ部材２１０は、筐体１０の長手方向（左右方向）に延設された一本のバネ部材であり、両端は筐体１０に固定されている。このバネ部材２１０の上部には、スイッチ２００が配置され、バネ部材２１０は、図４Ａ（ａ）に示すように、基台２０１に形成された谷部２０３、谷部２０４のいずれかの切り欠き部分に配置される。このように、谷部２０３又は谷部２０４のいずれかにバネ部材２１０が配置されることで、筐体１０を傾けたりしても、バネ部材２１０が山部２０５と当接して、スイッチ２００が重力によって移動されることを防止できる。
【００３８】
一方、利用者の操作を受け付けた場合、例えば、操作ノブ２０２を前方に向けてスライド移動させると、バネ部材２１０は、その押圧によって弾性変形しつつ谷部２０３から山部２０５を超えて、谷部２０４に移動される。一方、操作ノブ２０２を利用者が操作してスイッチ２００を後方に向けてスライド移動させると、バネ部材２１０はその押圧によって弾性変形しつつ谷部２０４から山部２０５を超えて谷部２０３に移動される。このように、本実施形態では、利用者の操作によってスイッチ２００を前方又は後方のいずれかに移動可能となり、筐体１０を傾けたときには、スイッチ２００が意図しない方向に移動されないようになっている。
【００３９】
なお、バネ部材２１０は、各スイッチ２００の間において筐体内部の底部に係止されている。これにより、いずれかのスイッチ２００がスライド移動した場合でも、バネ部材２１０の変形が隣接するスイッチ２００まで及ばないため、他のスイッチ２００の状態表示が変更されることはない。
【００４０】
一括ロック部５は、確認結果通知部２のスイッチ２００を固定する固定手段であり、本実施形態では、筐体１０の前方に配置されている。この一括ロック部５は、利用者の操作を受け付ける操作受付部５１と、取手部５２と、スイッチ２００を下方より係止する係止部５４と、操作受付部５１に対する操作を係止部５４に対して動力として伝達する動力伝達機構５３とを備えている。
【００４１】
本実施形態において操作受付部５１は、その上面に取手部５２が形成されており、取手部５２は、筐体の上面１０ａの開口から外部に突出されている。また、取手部５２は、前後方向にスライド移動可能となっており、取手部５２が前方にスライド移動されると、係止部５４によってスイッチ２００が係止され、取手部５２が後方にスライド移動されると、係止部５４による係止状態が解除される。
【００４２】
具体的に、係止部５４は、図４Ａ（ａ）及び（ｂ）に示すように、複数のスイッチ２００を一括して係止する係止手段であり、スイッチ２００の下面に設けられた２つの凹部５４３，５４４と、スイッチ２００の下方に配置され、上下方向にスライド移動可能な凸部５４１とから構成される。
【００４３】
凸部５４１は、図２に示すように、配列された複数のスイッチ２００と上面視で直交するように細長な部材であり、スイッチ２００の対向する上面が凸形状となっている。この凸部５４１には、動力伝達機構５３が連結されており、動力伝達機構５３によって下方から上方に向けた押圧力が伝達され、上方に向けて移動可能となっている。
【００４４】
凹部５４３及び凹部５４４は、基台２０１の下面を切り欠いて形成された孔であり、基台２０１の短手方向に沿って形成され、各凹部は、基台２０１の長手方向（前後方向）に並んで形成されている。凹部５４３及び凹部５４４は、凸部５４１の凸形状と合致する形状となっており、凸部５４１が上方に移動されると、凸部５４１が凹部５４３又は凹部５４４のいずれかに挿入されるようになっている。
【００４５】
詳述すると、図４Ａ（ａ）に示すように、スイッチ２００が後方に配置されている場合における凹部５４３と、スイッチ２００が前方に配置されている場合の凹部５４４とは同軸Ｌ１上に配置される位置関係となっている。また、この軸Ｌ１の垂直方向下方には、凸部５４１が配置されている。これにより、図４Ａ（ｂ）のように、凸部５４１が上部に移動されると、凸部５４１は、凹部５４３又は凹部５４４のいずれかに挿入される。
【００４６】
また、一括ロック部５は、動力伝達機構５３によって駆動される。詳述すると、駆動伝達機構５３は、図４Ｂ（ａ）及び（ｂ）に示すように、操作受付部５１の底面に設けられたラック５１１と、ラック５１１の歯切りと噛み合う円形歯車であるピニオン５３２とから構成される。このピニオン５３２の一部側面には、板状の突出部５３１が形成され、突出部５３１の自由端の先端部分には、凸部５４１が形成されている。そして、凸部５４１の上方には、凹部５４３又は凹部５４４が配置されている。
【００４７】
また、動力伝達機構５３には、操作受付部５１と筐体１０とを係止する係止手段を有している。具体的には、図４Ｂ（ｂ）に示すように、操作受付部５１の前方側に設けられた凸状係合部５１３と、筐体１０の内面にあって、操作受付部５１の進退方向の延長線上に形成された凹部係合部５１４とを有している。
【００４８】
操作受付部５１が前方向に移動されると、凸状係合部５１３と凹部係合部５１４とが係合され、操作受付部５１はその位置に固定される。一方、凸状係合部５１３と凹部係合部５１４との係合状態は、ユーザー操作で取り外し可能である。
【００４９】
また、本実施形態では、筐体１０の内面と操作受付部５１とが弾性部材５１２，５１２によって接続されており、凸状係合部５１３と凹部係合部５１４との係合状態が解除されると、その弾性部材５１２，５１２の付勢力によって操作受付部５１は後方向に押し出されるようになっている。
【００５０】
このような構成により、操作受付部５１が前方向にスライド移動されると、ラック５１１と噛み合うピニオン５３２が回動して、突出部５３１が上側に移動する。そうすると、凸部５４１が凹部５４３又は凹部５４４のいずれかに挿入される。この際、凸状係合部５４１が凹部係合部５４４に挿入されて各スイッチ２００のロック状態を保持する。
【００５１】
一方、操作受付部５１が後方向にスライド移動されると、凸状係合部５４１と凹部係合部５４４との係合状態が解除されて、操作受付部５１が弾性部材５１２，５１２によって後方向に押し出される。そうすると、ラック５１１と噛み合うピニオン５３２が回動して、凸部５４１と凹部５４３又は凹部５４４のいずれかとの係止状態は解除される。このような一括ロック部５により、すべてのチェックが終わったときのスイッチ２００の状態が固定される。また、各機器に対する確認処理の途中にチェック項目を変更した際、スイッチ２００が意図しない方向に移動されてしまうことを防止できる。
【００５２】
また、備忘録装置１には、確認結果通知部２の位置をリセットするリセット部６が設けられている。リセット部６は、複数のチェック項目に対する確認処理を未実行の状態に切り替え、確認結果通知部２による通知を未実行状態にリセットする手段である。このリセット部６は、図２に示すように、筐体１０の内部であって、スイッチ２００の前方に配置された板状の部材であり、すべてのスイッチ２００の前方に配置されるように、筐体１０の長手方向に延設される。そして、リセット部６は、前後方向にスライド移動可能となっており、スイッチ２００が前方に位置される状態（オフ状態）から、後方に位置される状態（オン状態）までの間Ｗを移動するようになっている。本実施形態では、筐体１０の側面に、リセット部６と接続され、ユーザーの操作を受け付ける操作手段６１を有しており、この操作手段６１を押し込むことで、筐体１０内部のリセット部６が移動し、確認結果通知部２を一括して未実行の状態に戻すようになっている。また、このリセット部６には、リセット部６によるリセットと時間情報通知部４とを連携させる連携制御部７が接続されている。
【００５３】
連携制御部７は、時間情報通知部４に対して確認処理の開始を示す時間情報が入力された場合に、リセット部６によるリセットを実行させる駆動機構である。この連携制御部７は、月情報回転体４３又は日情報回転体４４の回転力を、リセット部６の前後方向における推進力へ変換する。本実施形態では、月情報回転体４３又は日情報回転体４４が回転されると、スイッチ２００が前方に位置される状態（オン状態）から、スイッチ２００が後方に位置される状態（オフ状態）までリセット部６が移動される。これにより、すべてのスイッチ２００が一括して前方に移動され、オフ状態となる。
【００５４】
詳述すると、連携制御部７は、リセット部６と連動するように接続された駆動軸７１と、駆動軸７１に弾性力を付加するスプリング７３と、駆動軸７１の前後移動を規制するストッパ７２と、これらの各部品が支持される基部となる筐体部７０とから概略構成される。
【００５５】
駆動軸７１は、その一端がリセット部６に接続され、他端が筐体部７０内に挿入された細長の部材であり、他端側に前記ストッパ７２に当接される凸部７１ａが形成されている。また、駆動軸７１の中間部には径方向に突出された形状のフランジ７１ｂが一体形成されており、このフランジ７１ｂと筐体部７０の内壁７０ａとの間にスプリング７３が配置されている。
【００５６】
スプリング７３は、螺旋状のコイルバネであり、駆動軸７１に巻装され内壁７０ａから反力を得て、弾性力によりフランジ７１ｂを押し上げるように付勢するようになっている。すなわち、図３Ｂ（ａ）に示すように、駆動軸７１が押し下げられて凸部７１Ａがストッパ７２に引っ掛かって当接された状態では、スプリング７３は短縮されて弾性力が蓄積された状態となり、同図（ｄ）に示すように、凸部７１ａがストッパ７２から離脱されると、スプリング７３の弾性力が開放されて駆動軸７１が前進される。
【００５７】
ストッパ７２は、筐体部７０に固定された凸部であり、駆動軸７１が押し下げられた際に、その凸部７１ａが引っ掛かるように配置されている。すなわち、図３Ｂ（ａ）に示すように、スイッチ２００が前進されると、リセット部６とともに駆動軸７１がスプリング７３の反発力に逆らって押し下げられ、凸部７１ａがストッパ７２が引っ掛かり、スプリング７３の反発力により凸部７１がストッパ７２に押圧されて駆動軸７１が固定される。そして、時間情報通知部４が操作されたり、リセット部６の操作手段６１が押し込まれたりすると、図３Ｂ（ｃ）に示すように、操作手段６１に接続された押圧部材６２が駆動軸７１の側部に突当てられて、駆動軸７１が湾曲されて凸部７１ａがストッパ７２から離脱され、図３Ｂ（ｄ）に示すように、スプリング７３の弾性力が開放されて駆動軸７１が前進されることとなる。
【００５８】
ここで、操作手段６１及び押圧部材６２は、リセット部６を構成する部材である。操作手段６１は、ボタン上の部品でありボタン頭部を筐体部７０の側部から外方へ突出させているとともに、ボタン底部が、筐体部７０の内部において押圧部材６２に接続されている。押圧部材６２は、ロッド状の部材の側部から突出部分が形成された鍵状をなす部材であり、時間情報通知部４の月情報回転体４３及び日情報回転体４４に向けて突出されたトリガー部６２ａ及び６２ｂと、操作手段６１が接続された端部と反対側の端部において駆動軸７１に向けて突出された突当部６２ｃとを有している。
【００５９】
時間情報通知部４の月情報回転体４３及び日情報回転体４４は、図３Ｂ（ｂ）に示すようにドラム状の回転体であり、その円形部分に半球状の突起６３が多数設けられており、この突起６３がトリガー部６２ａ、６２ｂに向けて突出されている。そして、この月情報回転体４３及び日情報回転体４４が回転されると、図３Ｂ（ｃ）に示すように、突起６３が軸４３ａ又は４４ａを中心に移動し、順次トリガー部６２ａ、６２ｂに押しつけられることとなる。これにより、月情報回転体４３及び日情報回転体４４が回転される度に押圧部材６２が、駆動軸７１に対して前後運動することとなり、突当部６２ｃが駆動軸７１の側部に突当てられて、駆動軸７１が湾曲されて凸部７１ａがストッパ７２から離脱され、図３Ｂ（ｄ）に示すように、スプリング７３の弾性力が開放されるようになっている。
【００６０】
このような備忘録装置１を使用する場合について説明する。ここでは、既に、チェック項目表示部３には、機器プレート３２が挿入されて保持されており、確認処理をすべき各チェック項目が一覧可能に表示されているものとする。また、各確認結果通知部２のスイッチ２００は、後方側に位置されオフ状態となっているものとする。
【００６１】
この状態において、ユーザーは、チェック項目に該当する機器の消し忘れや閉め忘れを確認した後、各チェック項目表示部３に対応した位置にそれぞれ配置された確認結果通知部２に対して確認結果の入力を行う。具体的には、スイッチ２００を操作して、操作ノブ２０２を前方側に切り替える。そうすると、スイッチ２００の上側に印刷した「ＯＫ」が状態表示窓２１に配置されて表示される。
【００６２】
すべての確認結果通知部２に対して確認結果の入力が終了すると、ユーザーは、一括ロック部５の取手部５２を前方にスライド移動させる。そうすると、一括ロック部５の凸部５４１が動力伝達機構５３を介して上部に移動して、スイッチ２００に形成された凹部５４３及び凹部５４４のいずれかと係合し、すべてのスイッチ２００が固定される。その後、ユーザーは、この備忘録装置１を所持して外出する。これにより、外出先において、機器の状態を自分の目で確認できるため、出先での不安を簡単に解消できる。
【００６３】
なお、次の日などに外出する場合、ユーザーは、時間情報通知部４の日情報回転体４４を操作して、日にちを変更させる。このように、時間情報通知部４に対して確認処理の開始を示す時間情報が入力されると、連携制御部７により、その動力がリセット部６に伝達され、リセット部６によるリセットを実行させる。これにより、スイッチ２００が後方側に移動し、状態表示窓２１には、何も表示されないようになる。このように、本実施形態では、時間情報通知部４に対する操作によってリセット部６が駆動され、複数のチェック項目に対する確認処理を未実行の状態に切り替えられ、確認結果通知部２による表示が未実行状態にリセットされる。この状態の後、ユーザーは、上記同様、確認結果通知部２に対して確認結果を入力する。
【００６４】
（作用・効果）
このような本実施形態によれば、外出前にチェックすべき項目をチェック項目表示部３に表示させておき、操作者が自分自身で目視確認したチェック項目に対応する確認結果を確認結果通知部２に入力する。この入力された確認結果は、装置に保持されて、確認結果通知部２の状態表示窓２１に「ＯＫ」と表示されるので、外出前にすべてのチェックすべき項目を目視することができ、確実に消し忘れや、閉め忘れを防止できる。また、外出後に不安になった場合、すべてチェックしたことを本装置により確認することができて安心感を得ることができる。
【００６５】
また、本実施形態によれば、確認結果通知部２には、スイッチ２００に対する位置決め機構や、一括ロック部５を有しているため、確認処理中における誤操作などを防止でき、消し忘れや閉め忘れを確実に防止できる。
【００６６】
また、この確認処理は、前回途中だった確認処理があった場合などに、確認開始時刻を変更して再開する場合には、時間情報通知部４に連携されたリセット部６によって、すべてリセットされるため、前回の確認結果が残っていることによって、操作者が混乱して確認し忘れが発生するのを解消できる。
【００６７】
［第２実施形態］
次いで、本発明の第２実施形態について説明する。本実施形態では、スマートフォン等の電子機器を備忘録装置として使用することを要旨とする。図５は、第２実施形態に係る備忘録装置を用いたシステムを示す概略図であり、図６は、第２実施形態に係る表示画面を示す説明図である。なお、本実施形態において、上述した第１実施形態と同一の構成要素には同一の符号を付し、その機能等は特に言及しない限り同一であり、その説明は省略する。
【００６８】
図５に示すように、本実施形態に係るシステムは、利用者が所持するスマートフォン等の情報処理端末１００と、鍵９を内部に収納する鍵収納装置９０とを備え、利用者が各機器の状態を確認すると、情報処理端末１００にそれらの状態を記録していき、その後、すべての機器に対する確認が完了することで、鍵収納装置９０の施錠を解除させ、鍵９を取り出し可能とするものである。
【００６９】
通信ネットワーク８は、無線通信網を含み、通信プロトコルＴＣＰ／ＩＰを用いて種々の通信回線（電話回線やＩＳＤＮ回線、ＡＤＳＬ回線、光回線などの公衆回線、専用回線、無線通信網）を相互に接続して構築される分散型の通信ネットワークであり、この通信ネットワーク８には、１０ＢＡＳＥ−Ｔや１００ＢＡＳＥ−ＴＸ等によるイントラネット（企業内ネットワーク）や家庭内ネットワークなどのＬＡＮなども含まれる。また、通信ネットワーク８には、例えば、Bluetooth等のデータ通信用のプロトコルによる近距離無線通信も含まれる。
【００７０】
鍵収納装置９０は、内部に鍵９を収納する収納用筐体であり、内部空間を開閉させる蓋体９１と、蓋体９１を施錠又は解錠させる施錠機構である鍵部９２とを備える。鍵収納装置９０は、情報処理端末１００と通信ネットワーク８を介して接続されており、情報処理端末１００からの制御信号に応じて鍵部９２が施錠又は解錠される。
【００７１】
情報処理端末１００は、利用者が所有し、無線通信を利用したスマートフォンや携帯電話などの移動端末であり、一般的な基地局等の中継点と無線で通信し、通話やデータ通信等の通信サービスを移動しつつ受けることができる。この情報処理端末１００の通信方式としては、例えば、FDMA方式、TDMA方式、CDMA方式、W-CDMAの他、ＰＨＳ（Personal Handyphone System）方式等が挙げられる。また、上述した通信方式とは別の無線通信インターフェースとして、無線ＬＡＮの規格等に準じたＩＰパケットの送受による通信方式に対応した機能も備えている。さらに、この情報処理端末１００は、デジタルカメラ機能、アプリケーションソフトの実行機能、或いはＧＰＳ機能等の機能が搭載され、携帯情報端末(PDA)としての機能も果たす。
【００７２】
情報処理端末１００の表示部１０１ａには、図６に示すように、第１実施形態の筐体１０の表面に表された各項目のアイコンが表示される。具体的には、時間情報画面１０４と、チェック項目アイコン１０３と、確認結果アイコン１０２と、一括ロックアイコン１０５と、解錠アイコン１０７と、リセットアイコン１０６と、確認完了画面１０９と、警報画面１０８とが表示される。
【００７３】
時間情報画面１０４は、日付情報又は時間情報を示すアイコンであり、本実施形態においては、日付情報の他、複数のチェック項目に対する確認処理の開始を示す時間情報、確認処理の開始からの経過時間も表示可能となっている。
【００７４】
チェック項目アイコン１０３は、確認処理をすべき各チェック項目を表示するアイコンであり、確認を行うべき機器の名称が表示される。このチェック項目アイコン１０３内に表示される機器の名称は、別画面に表示される機器一覧画面から利用者の操作に応じて選択可能、又はユーザーが直接入力可能である。
【００７５】
確認結果アイコン１０２は、チェック項目アイコン１０３の各チェック項目に対応した位置にそれぞれ配置され、それぞれのチェック項目に対する確認結果の入力を受け付け、入力された各確認結果を表示させるアイコンである。本実施形態では、各機器の電源やスイッチ等がオフとなった否かの確認状態を示す状態表示アイコン１２１と、利用者の操作を受け付けるスイッチアイコン１２２とを備えている。スイッチアイコン１２２の内部には、操作ノブアイコン１２３が表示される。操作ノブアイコン１２３は、初期時にはスイッチアイコン１２２内の上方に配置され、利用者が画面上を下方にフリック、スワイプ等することで、操作ノブアイコン１２３がスイッチアイコン１２２内において下方側に移動する。
【００７６】
状態表示アイコン１２１は、機器に対する確認の有無状態を表示するアイコンであり、利用者の操作がないときには、アイコン中には何も表示されず、利用者が操作ノブアイコン１２３を下方に移動させると、確認をしたことを示す情報である「ＯＫ」という文字がアイコン中に表示される。なお、チェック項目アイコン１０３に機器の名称が表示されていない確認結果アイコン１０２については、利用者からの操作は、受け付けないようになっており、操作ノブアイコン１２３をフリック等しても下方に移動されず、また、状態表示アイコン１２１内には何も表示されないようになっている。
【００７７】
また、確認結果アイコン１０２には、確認操作が完了した旨を通知する手段として、ランプ点灯アイコン１２４が表示されており、確認操作があった場合には、そのアイコン１２４が点灯される。なお、ランプ点灯アイコン１２４は、操作ノブアイコン１２３に内蔵させて、操作ノブアイコン１２３が下方に移動すると点灯するようにしてもよい。
【００７８】
確認完了画面１０９は、複数のチェック項目に対する確認処理がすべて所定の結果となった場合に、その旨を表示するアイコンである。本実施形態において、確認処理のすべてが確認されていない場合には、未実行状態であって画面上には何も表示されず、確認処理のすべてが確認された場合には、画面上に「完了」の文字が表示されるようになっている。なお、この際、ランプ点灯アイコン１２４の点灯状態は維持される。
【００７９】
リセットアイコン１０６は、複数のチェック項目に対する確認処理を未実行の状態に切り替え、確認結果アイコン１０２及び確認完了画面１０９による通知を未実行状態にリセットするアイコンである。このリセットアイコン１０６が選択されると、状態表示アイコン１２１には何も表示されないようになるとともに、操作ノブアイコン１２３は上方に配置されて、ランプ点灯アイコン１２４が消灯する。また、確認完了画面１０９内にも何も表示されなくなる。
【００８０】
一括ロックアイコン１０５は、確認結果アイコン１０２に対する無効操作を受け付けるアイコンであり、この一括ロックアイコン１０５をタップすることで、図６に示すチェックボックス１２５にチェックが入り、各スイッチアイコンに対する操作が反映されなくなる。なお、本実施形態では、各確認結果アイコン１０２の下部に位置するチェックボックス１２５をタップすることで、個別に操作を無効とすることもできる。
【００８１】
解錠アイコン１０７は、鍵収納装置９０における蓋体９１を施錠又は解錠させるアイコンであり、すべての確認結果アイコン１０２に対する確認操作が終了されて、有効化された後に選択可能となっている。この解錠アイコン１０７が選択されることで、鍵部９２を解錠させる制御信号が送信される。
【００８２】
警報画面１０８には、表示画面や表示音などの警告情報を表示するアイコンである。本実施形態において、警報情報とは、確認処理の開始から所定時間経過している場合や、確認処理中に自機の位置が自宅の範囲外となった場合などに警報情報を表示させる。
【００８３】
（各装置の内部構成）
次いで、上述の備忘録システムを構成する各装置の内部構造について説明する。図７は、第２実施形態に係る情報処理端末１００及び鍵収納装置の機能モジュールを示すブロック図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００８４】
情報処理端末１００は、図７に示すように、入出力インターフェース１０１と、通信インターフェース１６０と、備忘録制御部１１０と、ＧＵＩ制御部１３０と、位置情報取得部１４０と、計時部１５０と、記憶部１７０を備えている。
【００８５】
通信インターフェース１６０は、通話やデータ通信が可能な無線通信インターフェースであり、無線データ通信によるパケットデータの送受信を行うことができる。また、通信インターフェース１６０には、ブルートゥース方式（Bluetooth：登録商標）やＵＷＢ（Ultra Wide Band）方式、赤外線などによる近距離無線通信を行うためのデバイスである近距離無線通信部１６１も備えている。本実施形態の情報処理端末１００は、当該近距離無線通信部１６１を用いて、鍵収納装置９０と通信可能となっており、鍵部９２を解錠する制御信号を送信するようになっている。
【００８６】
入出力インターフェース１０１は、操作ボタンやタッチパネルなどユーザー操作を入力するデバイスであるとともに、ディスプレイやスピーカーなど、映像や音響を出力するデバイスである。この入出力インターフェース１０１には、図６に示すように、液晶ディスプレイなどの表示部１０１ａが含まれている。
【００８７】
計時部１５０は、情報端末内部の時刻情報を計時したり、確認処理に係る経過時間を計測するモジュールである。計時部１５０によって取得された現在時刻は、備忘録制御部１１０に入力され、時間情報画面１０４に表示される。また、計時部１５０は、備忘録制御部１１０から確認処理開始の信号を取得すると、その時点からの経過時間を計測する。
【００８８】
位置情報取得部１４０は、自機の現在位置を示す位置情報を取得し、記録するモジュールであり、例えば、ＧＰＳ（Global Positioning System）のように、衛星からの信号によって自機の位置を検出して、携帯電話の無線基地局からの備忘録制御部１１０に送信される。
【００８９】
記憶部１７０は、ＲＯＭやＲＡＭ等からなる記憶装置であり、本実施形態では、ＯＳ（Operating System）や、複数のチェック項目に対する確認処理を記録して表示する備忘録プログラムを含む各種プログラムが含まれ、さらに、自宅の位置情報、警報する経過時間を設定した設定経過時間、施錠又は解錠の制御データ、確認結果の履歴等が蓄積される。
【００９０】
備忘録制御部１１０及びＧＵＩ制御部１３０は、ＣＰＵやＤＳＰ（Digital Signal Processor）等のプロセッサ、メモリ、及びその他の電子回路等のハードウェア、或いはその機能を持ったプログラム等のソフトウェア、又はこれらの組み合わせなどによって構成された演算モジュールであり、複数のチェック項目に対する確認処理を記録して表示する備忘録プログラムが起動されることで、各部の機能モジュールを仮想的に構築し、構築された各機能モジュールによって備忘録処理を行う。
【００９１】
ＧＵＩ制御部１３０は、表示部１０１ａの画面内に配置される各アイコンの表示、及び利用者からの操作を受け付けるためのグラフィックユーザーインターフェース（GUI）を制御するモジュールである。本実施形態では、表示部１０１ａ内に各種の情報を表示するとともに、表示部１０１ａ内に表示されるアイコンに対する操作を、ＧＵＩを通じて操作信号として取得する。具体的にＧＵＩ制御部１３０には、時間情報通知部１３１と、リセット表示部１３３と、チェック項目表示部１３２と、確認結果通知部１３４と、確認完了通知部１３５と、警報通知部１３６とを備えている。
【００９２】
チェック項目表示部１３２は、確認処理をすべき各チェック項目を画面上に一覧可能に表示させるモジュールであり、ユーザーによって選択された機器の名称を表示させる。確認結果通知部１３４は、チェック項目表示部１３２の各チェック項目に対応した位置にそれぞれ配置され、それぞれのチェック項目に対する確認結果の入力を受け付け、入力された各確認結果を表示するモジュールである。
【００９３】
この確認結果通知部１３４は、スイッチアイコン１２２の位置において、ユーザーからのスワイプ操作を受け付けると、その操作に応じて、操作ノブアイコン１２３を上下に移動させる。また、確認結果通知部１３４は、操作ノブアイコン１２３を下部にスワイプさせた操作を受け付けた場合には、状態表示アイコン１２１に「ＯＫ」の文字を表示させるとともに、ランプ点灯アイコン１２４を点灯させる。
【００９４】
確認完了通知部１３５は、複数のチェック項目に対する確認処理がすべて所定の結果となった場合に、その旨を通知するモジュールであり、本実施形態では、すべての操作ノブアイコン１２３が下方に位置すると、確認完了画面１０９内に「完了」などの文字を表示させる。
【００９５】
時間情報通知部１３１は、複数のチェック項目に対する確認処理の開始を示す時間情報や日付情報を画面上に表示させるモジュールである。また、時間情報通知部１３１は、計時部１５０から入力された確認処理の開始からの経過時間についても表示させることができる。
【００９６】
リセット表示部１３３は、リセットアイコン１０６に関する表示、及びユーザー操作の受付を制御するモジュールであり、ユーザー操作によってリセットアイコン１０６が選択された場合には、その情報をリセット部１１２に送信する。
【００９７】
警報通知部１３６は、警報制御部１１６からの判断結果に応じて、警報画面１０８の警報情報を変化させるモジュールであり、警報制御部１１６から要警報との信号を取得すると、画面に警報情報を表示させたり、警告音を出力させたりする。なお、ＧＵＩ制御部１３０には、一括ロックアイコン１０５の表示を制御する機能も備えており、ユーザー操作によって一括ロックアイコン１０５が選択された場合には、他の各部に操作無効の信号を出力し、ユーザー操作を受け付けないようにする。
【００９８】
一方、備忘録制御部１１０には、連携制御部１１１と、リセット部１１２と、通報部１１３と、判定部１１４と、施錠制御部１１５と、警報制御部１１６とを備えている。判定部１１４は、複数のチェック項目に対する確認処理がすべて所定の結果となったか否かを判断する。具体的には、判定部１１４は、解錠アイコン１０７の選択信号を取得すると、確認結果通知部１３４等のユーザー操作を取得して、すべての操作ノブアイコン１２３が前方に位置し、状態表示アイコン１２１に「ＯＫ」の文字が表示されている状態であるときには、確認完了と判断し、少なくとも１つの操作アイコンに対して操作がされていない場合には確認未完了と判断する。判定部１１４により解除可能と判断された場合には、施錠制御部１１５に確認完了信号が送信される。
【００９９】
施錠制御部１１５は、判定部１１４により、複数のチェック項目に対する確認処理がすべて確認され、確認完了信号を取得した場合に、鍵部９２を解錠させるモジュールである。具体的に、施錠制御部１１５は、鍵部９２を解錠させる解錠信号を生成して、近距離無線通信部１６１を通じて鍵収納装置９０に解錠信号を送信する。なお、施錠制御部１１５は、警報制御部１１６からの位置情報による解錠許可信号を含めて解錠信号を生成するか否かを判断する。
【０１００】
リセット部１１２は、チェックしたすべての項目に対する確認処理を未実行の状態に切り替え、確認結果通知部１３４及び確認完了通知部１３５による通知を未実行状態にリセットするモジュールであり、リセット表示部１３３に対するユーザー操作に応じて実行する場合の他、連携制御部１１１によって、確認処理の開始を示す時間情報が入力されたときにリセットする場合がある。
【０１０１】
連携制御部１１１は、リセット部１１２によるリセットと時間情報通知部１３１とを連携させるモジュールである。本実施形態において、連携制御部１１１は、リセットされた日時を確認処理の開始を示す時間情報として時間情報通知部１３１により通知させる。また、連携制御部１１１は、時間情報通知部１３１に対して確認処理の開始を示す時間情報が入力された場合に、リセット部１１２によるリセットを実行させる。
【０１０２】
警報制御部１１６は、警報情報を表示させるか否かを判断するモジュールである。この警報制御部１１６は、確認処理の開始からの経過時間に基づいて警報する機能と、自機の位置情報に基づいて警報する機能とを有している。
【０１０３】
経過時間に基づく警報では、確認処理が行われると、計時部１５０により計測される。そして、警報制御部１１６では、記憶部１７０に記録された設定経過時間内に、すべてのチェック項目に対する確認が終了したか否かを判断し、設定期間内に確認が終了していない場合に警告を通知するように、警報通知部１３６を制御する。
【０１０４】
一方、自機の位置情報に基づく警報では、確認完了通知部１３５からすべての確認処理が完了した旨の信号を取得すると、警報制御部１１６は、位置情報取得部１４０によって取得された位置情報を取得する。そして、記憶部１７０に記憶された自宅の位置情報と比較し、自宅以外の場所に位置しているか否かを判断し、自宅の場所にいない場合には、不適切な操作や誤操作がなされたとして警告情報を通知するように、警報通知部１３６を制御する。また、この場合、警報制御部１１６では、施錠制御部１１５に対して、解錠禁止信号を送信する。一方、自宅内にいると判断した場合には、解錠許可信号を送信する。
【０１０５】
通報部１１３は、確認結果通知部１３４による確認結果の履歴を記憶部１７０に蓄積するとともに、蓄積された履歴を解析して、解析された確認結果の頻度や分布に基づいた報告処理を実行するモジュールである。この報告処理によって生成された報告データは、電子メールなど、通信インターフェース１６０を介して通信ネットワーク８上の関係者などに送信される。
【０１０６】
（鍵収納装置９０の内部構成）
鍵収納装置９０には、通信インターフェース９３と、鍵部９２とを備えている。通信インターフェース９３は、データ通信が可能な無線通信インターフェースであり、無線データ通信によるパケットデータの送受信を行うことができる。また、通信インターフェース９３には、ブルートゥース方式（Bluetooth：登録商標）やＵＷＢ（Ultra Wide Band）方式、赤外線などによる近距離無線通信を行うためのデバイスである近距離無線通信部９３ａも備えている。すなわち、本実施形態の鍵収納装置９０は、当該近距離無線通信部９３ａを用いて、情報処理端末１００と通信可能となっており、鍵部９２を解錠する制御信号を受信するようになっている。
【０１０７】
鍵制御部９４は、ＣＰＵやＤＳＰ（Digital Signal Processor）等のプロセッサ、メモリ、及びその他の電子回路等のハードウェア、或いはその機能を持ったプログラム等のソフトウェア、又はこれらの組み合わせなどによって構成された演算モジュールであり、鍵部９２を制御して鍵部９２の施錠又は解錠を実行する。本実施形態において、鍵制御部９４は、解錠信号を情報処理端末１００から取得すると、鍵部９２を制御して解錠させ、蓋体９１を開放可能とさせる。
【０１０８】
（備忘録方法）
このような備忘録システムを動作させることで、備忘録方法を実施することができる。なお、ここでは、既に、チェック項目アイコン１０３には、機器名称が表示されており、確認処理をすべき各チェック項目が一覧可能に表示されているものとする。
【０１０９】
ユーザーは、先ず、時間情報画面１０４を操作して、確認処理の開始を示す時間情報を入力する。そうすると、時間情報画面１０４上には確認処理の開始を示す時間情報が表示される。時間情報画面１０４に確認処理の開始を示す時間情報が入力されると、連携制御部１１１の制御により、リセット部１１２によるリセットが実行される。
【０１１０】
これにより、操作ノブアイコン１２３が上方側に移動し、状態表示アイコン１２１には、何も表示されないようになる。本実施形態では、時間情報画面１０４に対する操作によってリセット部１１２が駆動され、複数のチェック項目に対する確認処理を未実行の状態に切り替えられ、確認結果アイコン１０２による表示が未実行状態にリセットされる。
【０１１１】
なお、ここでは、時間情報画面１０４を操作して、リセットを実行させたが、例えば、リセットアイコン１０６をタップすることでリセット部１１２によるリセットを実行させてもよい。この場合には、連携制御部１１１は、リセットされた日時を確認処理の開始を示す時間情報として時間情報通知部１３１に送信し、時間情報通知部１３１は、その時間情報を時間情報画面１０４に表示させる。
【０１１２】
また、確認処理の開始を示す操作を受け付けると、その操作信号が計時部１５０に入力され、計時部１５０では経過時間の計測を開始する。その後、ユーザーは、チェック項目に該当する機器の消し忘れや閉め忘れを確認した後、各チェック項目アイコン１０３に対応した位置にそれぞれ配置された確認結果アイコン１０２に対して確認結果の入力を行う。具体的には、スイッチアイコン１２２を下方に動かして、操作ノブアイコン１２３を下方に切り替える。そうすると、スイッチアイコン１２２の上側に印刷した「ＯＫ」が状態表示アイコン１２１に配置されて表示される。この際、ユーザーは、一括ロックアイコン１０５、又はチェックボックス１２５をタップすることもできる。そうすると、確認結果アイコン１０２に対する操作が無効となり、誤動作を防止できる。
【０１１３】
さらに、確認処理が開始されると、警報制御部１１６では、確認処理開始からの経過情報に基づく警報有無の判定を実行する。具体的に、警報制御部１１６は、計時部１５０により計測された確認処理の開始からの経過時間が、記憶部１７０内に含まれた設定経過時間を超過した時点で、すべての確認処理に対する入力がされているか否かを判断する。そして、すべての確認処理に対する入力がされていない場合には、警報通知部１３６を制御して、警報画面１０８上に警告情報を表示させる。
【０１１４】
経過時間内に、ユーザーがすべての確認結果アイコン１０２に対して確認結果の入力が終了すると、確認完了画面１０９には完了という文字情報が表示されるとともに、解錠アイコン１０７が選択可能となる。ユーザーが解錠アイコン１０７をタップすると、その信号が判定部１１４に入力される。
【０１１５】
判定部１１４では、確認結果通知部１３４から各入力状態の情報を取得して、複数のチェック項目に対する確認処理がすべて有効的となったか否かを判断する。ここで、すべての確認処理が有効的となっていない場合には、確認完了信号を生成させず、例えば、確認完了画面１０９にエラー情報などを表示させる。一方、確認処理がすべて有効的となった場合には、判定部１１４は、施錠制御部１１５に対して確認完了信号を送信する。
【０１１６】
なお、この際、警報制御部１１６は、位置情報に基づく警報有無の判定を行う。具体的に、警報制御部１１６は、確認完了通知部１３５から確認完了信号を取得すると、位置情報取得部１４０によって現在の位置情報を取得する。そして、この取得された位置情報と、記憶部１７０に記憶された自宅の位置情報とが一致するか否かを判断する。ここで、位置情報が一致しない場合、警報制御部１１６は、警報通知部１３６を制御して、警報画面１０８にエラー情報を表示させたり、施錠制御部１１５に解錠禁止信号などを送信する。一方、位置情報が一致する場合には、解錠許可信号を施錠制御部１１５に送信する。
【０１１７】
施錠制御部１１５は、判定部１１４から確認完了信号を取得し、警報制御部１１６から解錠許可信号を取得すると、鍵収納装置９０の鍵部９２を解錠させる制御データを生成して、通信インターフェース１６０を介して鍵収納装置９０に送信する。
【０１１８】
鍵制御部９４は、この制御データに基づいて、鍵部９２を解除し、蓋体９１を開放させて鍵９を取り出し可能とさせる。その後、ユーザーは、鍵９を用いて玄関を施錠するとともに、情報処理端末１００を所持して外出する。これにより、外出先において、機器の状態を自分の目で確認できるため、出先での不安を簡単に解消できる。なお、通報部１１３では、一定のタイミングで、判定部１１４による確認結果の履歴を蓄積し、蓄積された履歴を解析して、解析された確認結果の頻度や分布に基づいた報告処理を実行する。
【０１１９】
（作用・効果）
このような本実施形態によれば、外出前にチェックすべき項目をチェック項目アイコン１０３に表示させておき、操作者が自分自身で目視確認したチェック項目に対応する確認結果を確認結果アイコン１０２に入力する。この入力された確認結果は、装置に保持されて、確認結果アイコン１０２の状態表示アイコン１２１に「ＯＫ」と表示されるので、外出前にすべてのチェックすべき項目を目視することができ、確実に消し忘れや、閉め忘れを防止できる。
【０１２０】
特に、本実施形態では、家の鍵９などを収納する蓋体９１を有する鍵収納装置９０を設け、施錠制御部１１５は、複数のチェック項目に対する確認処理がすべて有効的になった場合に、鍵部９２を解錠させているので、すべてのチェック項目を完了しない限り利用者が次の行動に移れないように制限でき、消し忘れや閉め忘れを確実に防止できる。
【０１２１】
また、本実施形態において、連携制御部１１１は、リセット部１１２によるリセットと時間情報通知部１３１とを連携させている。そして、連携制御部１１１は、時間情報通知部１３１に対して確認処理の開始を示す時間情報が入力された場合に、リセット部１１２によるリセットを実行させる機能を有するので、前回途中だった確認処理があった場合などに、確認開始時刻を変更して再開する場合には、すべてリセットされるため、前回の確認結果が残っていることによって、操作者が混乱して確認し忘れが発生するのを解消できる。
【０１２２】
また、連携制御部１１１は、リセットされた日時を確認処理の開始を示す時間情報として時間情報通知部１３１により通知させることもできる。この場合には、すべての項目の確認結果をリセットした時点から開始することとなるため、前回途中だった確認処理があった場合でも、すべてリセットしなければ再開できないため、より確実に消し忘れ等を防止できる。
【０１２３】
また、警報制御部１１６は、確認処理の開始からの経過時間とに基づいて、警告情報を通知しているため、例えば、確認処理を開始して、一定時間内にすべてのチェック項目に対する確認が終了しない場合に警告を通知できるため、確認処理に時間がかかっているだけなのか、確認し忘れているのかが不明であるようなときに、操作者に対して注意を促すことができる。
【０１２４】
また、警報制御部１１６は、自機の位置情報とに基づいて警告情報を通知しているため、例えば、確認処理の最中に外出してしまったり、家の外にいるはずなのに屋内の確認処理を実行していたりなど、不適切な操作や誤操作がなされるのを防止でき、より適切な確認処理を実現できる。
【０１２５】
また、本実施形態において、通報部１１３は、確認結果通知部１３４による確認結果の履歴を蓄積し、蓄積された履歴を解析して、解析された確認結果の頻度や分布に基づいた報告処理を実行するので、不適切な操作が繰り返されたり、暫くの期間、無操作だったりなど、操作者が特徴的な行動を取った場合に、電子メール等により関係者にその旨を通報することができ、高齢者の安否確認などに応用することができる。
【０１２６】
［第３実施形態］
次いで、本発明の第３実施形態について説明する。本実施形態では、スマートフォン等の汎用的な電子機器ではなく、図８に示すような、備忘録装置の機能に特化した専用機であって、情報処理端末と鍵収納装置とが一体化された鍵ケース１００ａを用いて、機器の消し忘れ、付け忘れを防止することを要旨とする。図８は、第３実施形態に係る鍵ケース１００ａを示す斜視図である。なお、本実施形態において、上述した各実施形態と同一の構成要素には同一の符号を付し、その機能等は特に言及しない限り同一であり、その説明は省略する。
【０１２７】
本実施形態における鍵ケース１００ａは、鍵９を収納する内部空間１２を備える筐体から形成され、筐体の表面には、タッチパネル式の表示部１０１ｂが設けられている。筐体の側面には、開閉可能な蓋体１１が形成され、この蓋体１１が開放されると内部空間１２と外部とが連通される。また、鍵ケース１００ａには、筐体内部に施錠機構である鍵部１３が設けられており、この鍵部１３によって蓋体１１が開閉可能となっている。なお、施錠機構である鍵部１３や蓋体１１には、緊急開放機構が設けることが好ましい。例えば、一定の力を加えると外れたりするようにしておくことにより、緊急事態に鍵が取り出せないということを回避することができる。
【０１２８】
本実施形態における表示部１０１ｂは、タッチパネル式の表示手段であり、第２実施形態と同様な複数のチェック項目に対する確認処理を記録して表示するための各種アイコンを表示部１０１ｂ上に表示させ、ユーザーの操作を受け付け可能となっている。また、鍵ケース１００ａには、第２実施形態と同様な備忘録制御部１１０、ＧＵＩ制御部１３０、計時部１５０、位置情報取得部１４０、記憶部１７０等を有している。
【０１２９】
すなわち、鍵ケース１００ａは、表示部１０１ｂに、時間情報画面１０４と、チェック項目アイコン１０３と、確認結果アイコン１０２と、一括ロックアイコン１０５と、解錠アイコン１０７と、リセットアイコン１０６と、確認完了画面１０９と、警報画面１０８とを表示するとともに、各アイコンに対する操作信号をＧＵＩ制御部１３０が取得する。
【０１３０】
そして、ユーザーが確認処理に対する入力を確認結果アイコン１０２に対して行った後、解錠アイコン１０７を選択すると、判定部１１４において複数のチェック項目に対する確認処理がすべて所定の結果となったか否かが判断され、その判断によって解錠の可否が判定される。判定部１１４において、確認結果がすべて有効的であり、確認完了と判定されると、確認完了信号が施錠制御部１１５に入力される。施錠制御部１１５は、この確認完了信号に応じて、鍵部１３を解錠させ、蓋体１１を開放可能とさせる。これにより、内部に収納された鍵９を取り出すことができる。なお、本実施形態においても、上述した第２実施形態と同様なリセット部１１２、連携制御部１１１、警報制御部１１６、通報部１１３などの各種機能を備えているものとする。
【０１３１】
［第４実施形態］
次いで、本発明の第４実施形態について説明する。本実施形態では、上述した第１実施形態〜第３実施形態で説明した備忘録装置や備忘録アプリケーションを、服薬管理に適用したことを要旨とする。すなわち、上述した実施形態では、本発明を機器の消し忘れ防止のために用いた場合を例示したが、図９に示すような、薬の飲み忘れ防止のために用いてもよい。図９は、第４実施形態に係る服薬チェック装置の画面構成を示す説明図である。なお、本実施形態において、上述した各実施形態と同一の構成要素には同一の符号を付し、その機能等は特に言及しない限り同一であり、その説明は省略する。
【０１３２】
ここで、本実施形態では、第２実施形態のように、スマートフォン等の電子機器でアプリケーションを実行させ、スマートフォンを服薬チェック装置として使用する場合を例に説明するが、本発明はこれに限定されるものではなく、第１実施形態のような機械式の機構で動作する装置でもよく、第３実施形態のような電子的な機構で動作する専用装置であってもよい。
【０１３３】
図９に示すように、本実施形態では、上記チェック項目表示部１３２には服薬すべき薬の名称を表示し、時間情報通知部１３１には、その日の日付を表示する。また、表示部１０１ａには、スイッチアイコン１２２や、操作ノブアイコン１２３、ランプ点灯アイコン１２４、チェックボックス１２５などが、チェック項目表示部１３２に対応付けられて配置されているとともに、本実施形態では、これらアイコン１２２〜１２５が、「朝」、「昼」、「晩」及び「就寝前」といったように、その薬を飲むべき時間帯毎にグループ分けされて、グループ毎に確認結果アイコン群である確認結果ラベル１０２ａ〜ｄが構成されている。
【０１３４】
これら時間帯毎の確認結果ラベル１０２ａ〜ｄには、その時間帯に飲むべきかどうかを表示するチェックボックス１２６が対応付けられており、飲む必要があれば「要」の文字が表示され、不要であれば「不」の文字が表示されるようになっており、不要と表示された薬については、その時間帯ではチェックが不要であるため自動的にロックされるようになっている。
【０１３５】
このような本実施形態によれば、服薬すべき薬の名称を、チェック項目アイコン１０３に表示させておくとともに、各薬について時間帯毎に服薬の要否をチェックボックス１２６に表示させておく。そして、操作者が自分自身で服薬を確認したチェック項目に対応する確認結果をアイコン１２２に入力する。この入力された確認結果は、装置に保持されて、状態表示アイコン１２１に「ＯＫ」と表示されるので、各時間帯における服薬すべき薬を目視することができ、確実に飲み忘れを防止できる。また、服薬の履歴を記録し、その履歴を分析することにより、ユーザーの健康状態を管理することもできる。
【０１３６】
本実施形態においても、連携制御部１１１は、リセット部１１２によるリセットと時間情報通知部１３１とを連携させてもよい。そして、連携制御部１１１は、時間情報通知部１３１に対して確認処理の開始を示す時間情報が入力された場合に、リセット部１１２によるリセットを実行させる機能を有するので、前回途中だった確認処理があった場合などに、確認開始時刻を変更して再開する場合には、すべてリセットされるため、前回の確認結果が残っていることによって、操作者が混乱して確認し忘れが発生するのを解消できる。
【０１３７】
また、連携制御部１１１は、リセットされた日時を確認処理の開始を示す時間情報として時間情報通知部１３１により通知させることもできる。この場合には、すべての項目の確認結果をリセットした時点から開始することとなるため、前回途中だった確認処理があった場合でも、すべてリセットしなければ再開できないことから、より確実に飲み忘れ等を防止できる。
【０１３８】
また、警報制御部１１６は、確認処理の開始からの経過時間とに基づいて、警告情報を通知しているため、例えば、確認処理を開始して、一定時間内にすべてのチェック項目に対する確認が終了しない場合に警告を通知できるため、確認処理に時間がかかっているだけなのか、確認し忘れているのかが不明であるようなときに、操作者に対して注意を促すことができる。
【０１３９】
また、本実施形態においても、通報部を設けることができ、確認結果通知部１３４による確認結果の履歴を蓄積し、蓄積された履歴を解析して、解析された確認結果の頻度や分布に基づいた報告処理を実行するので、服薬が途絶えていたり、不適切な操作が繰り返されたり、暫くの期間、無操作だったりなど、操作者が特徴的な行動を取った場合に、電子メール等により関係者にその旨を通報することができ、高齢者の安否確認などに応用することができる。
【０１４０】
［変更例］
なお、本発明は、上記実施形態に限定されるものではなく、種々の変更を加えることができる。上述した第２実施形態及び第３実施形態では、鍵９を収納し、収納用筐体の蓋体を解錠させる構成としたが、例えば、玄関の扉などの施錠機構に備忘録装置を組み合わせ、複数のチェック項目に対する確認処理がすべて有効的であるときに、施錠機構を施錠させ、扉を閉める構成であってもよい。
【０１４１】
この場合には、家の玄関の扉などに電子ロック機構を設けて、その電子ロック機構に備忘録装置とを連結される。そして、すべてのチェック項目が「ＯＫ」など有効的になったときに、電子ロック機構を施錠若しくは解錠できるようになる。これによって、すべてのチェック項目を完了しない限り、玄関の扉が施錠できず、利用者が次の行動に移れないように制限できるので、消し忘れや閉め忘れを確実に防止できる。
【０１４２】
また、上述した第１実施形態の備忘録装置１の内部に鍵を収納可能とするとともに、蓋体及び蓋体を施錠する鍵部を設け、すべての確認結果通知部２に対する確認操作が行われた際、機械的に鍵部を解錠して鍵９を取り出し可能としてもよい。
【０１４３】
さらに、上述した第１〜４実施形態において、チェック完了の手順を２段階に分けて行うようにしてもよい。例えば、上述した第１〜３実施形態において施錠、解錠の装置を設けず、筐体１０の機器プレート３２として「玄関の鍵」を設け、これについてのチェックを第２段階（最終段階）とし、この「玄関の鍵」以外のチェックを第１段階のチェックとする。すなわち、第１段階のチェックとして「玄関の鍵」以外のチェックが完了した後に、操作する当人がその玄関の鍵を用いて施錠して、その「玄関の鍵」を含むすべてのチェックの完了を第２段階（最終段階）のチェックが完了したときに、状態表示窓２１又は１２１に「ＯＫ」を表示させた、一括ロック部５の操作を行うようにしてもよい。 
また、リセットのタイミングを、鍵を収納したときとしてもよい。すなわち、外出時に玄関のドアに施錠し、その鍵はそのまま携帯し、帰宅の際にその鍵を用いて、玄関のドアを解錠し、その鍵を収納したときにリセットする。この場合には、帰宅後に鍵を収納してリセットすることにより、次回の外出時にリセット操作をする必要がなく、速やかにチェック作業を開始できる。
【０１４４】
さらに、第２〜４実施形態では、タッチパネル式の表示部１０１ａに各アイコンを表示させたが、例えば、第１実施形態で示した機械式の各部を設けるとともに、内部に電子的な制御部１１０を設け、機械式の各部に対する制御を制御部１１０で制御する構成であってもよい。
【符号の説明】
【０１４５】
１…備忘録装置
２…確認結果通知部
３…チェック項目表示部
４…時間情報通知部
５…一括ロック部
６…リセット部
７…連携制御部
８…通信ネットワーク
９…鍵
１０…筐体
１０ａ…上面
１１…蓋体
１２…内部空間
１３…鍵部
２０…操作ノブ
２１，１２１…状態表示窓
２２…スライド孔
３１…保持部
３２…機器プレート
３３…表示窓
３４…凸部
３５…凹部
４１，４２…表示孔
４３…月情報回転体
４３ａ，４４ａ…回転軸
４４…日情報回転体
５１…操作受付部
５２…取手部
５３…動力伝達機構
５４…係止部
６１…操作手段
６２…押圧部材
６２ａ，６２ｂ…トリガー部
６２ｃ…突当部
６３…突起
７０…筐体部
７０ａ…内壁
７１…駆動軸
７１ａ…凸部
７１ｂ…フランジ
７２…ストッパ
７３…スプリング
９０…鍵収納装置
９１…蓋体
９２…鍵部
９３…通信インターフェース
９３ａ…近距離無線通信部
９４…鍵制御部
１００…情報処理端末
１００ａ…鍵ケース
１０１…入出力インターフェース
１０１ａ…表示部
１０１ｂ…表示部
１０２…確認結果アイコン
１０２ａ〜ｄ…確認結果ラベル
１０３…チェック項目アイコン
１０４…時間情報画面
１０５…一括ロックアイコン
１０６…リセットアイコン
１０７…解錠アイコン
１０８…警報画面
１０９…確認完了画面
１１０…備忘録制御部
１１１…連携制御部
１１２…リセット部
１１３…通報部
１１４…判定部
１１５…施錠制御部
１１６…警報制御部
１２１…状態表示アイコン
１２２…アイコン
１２２…スイッチアイコン
１２３…操作ノブアイコン
１２４…ランプ点灯アイコン
１２５…チェックボックス
１２６…チェックボックス
１３０…ＧＵＩ制御部
１３１…時間情報通知部
１３２…チェック項目表示部
１３３…リセット表示部
１３４…確認結果通知部
１３５…確認完了通知部
１３６…警報通知部
１４０…位置情報取得部
１５０…計時部
１６０…通信インターフェース
１６１…近距離無線通信部
１７０…記憶部
２００…スイッチ
２０１…基台
２０１ａ…上面
２０２…操作ノブ
２０３，２０４…谷部
２０５…山部
２１０…バネ部材
５１１…ラック
５１２，５１２…弾性部材
５１３…凸状係合部
５１４…凹部係合部
５３１…突出部
５３２…ピニオン
５４１…凸状係合部
５４３，５４４…凹部
５４４…凹部係合部
【要約】
【課題】利用者にとって煩雑な操作を課すことなく、外出先での不安を簡単に解消させる。
【解決手段】確認処理をすべき各チェック項目を一覧可能に表示するチェック項目表示部３と、チェック項目表示部３のチェック項目に対する確認結果を入力し、入力された各確認結果を通知する確認結果通知部２と、複数のチェック項目に対する確認処理を未実行の状態に切り替え、確認結果通知部２を未実行状態にリセットするリセット部６と、複数のチェック項目に対する確認処理の開始を示す時間情報を通知する時間情報通知部４と、リセット部６によるリセットと時間情報通知部４とを連携させ、時間情報通知部４に対して確認処理の開始を示す時間情報が入力された場合に、リセット部６によるリセットを実行させる連携制御部７と、各チェック項目に対して入力された各確認結果を一時的に一括して固定する一括ロック部とを備える。
【選択図】  図１【図１】
0005780688.tif 000002
【図２】
0005780688.tif 000003
【図３Ａ】
0005780688.tif 000004
【図３Ｂ】
0005780688.tif 000005
【図４Ａ】
0005780688.tif 000006
【図４Ｂ】
0005780688.tif 000007
【図５】
0005780688.tif 000008
【図６】
0005780688.tif 000009
【図７】
0005780688.tif 000010
【図８】
0005780688.tif 000011
【図９】
0005780688.tif 000012